(57)【要約】【課題】調整部材により電路が遮断されるまでの時間を調整する際に、調整部材の負荷座との当接位置がずれることを防ぐと共に、負荷座の締付けねじを締付けた際に負荷座と一端を一体に設けられるバイメタルが動き、バイメタルと掛合片との当接位置がずれることを防ぎ、電路が遮断されるまでの所要時間を一定に得られる過電流引外し調整機構を少ない部品数で提供する。【解決手段】回路遮断器のケース内部に設けられる過電流引外し調整機構であって、この過電流引外し調整機構はケースに設けられる電線挿入孔の近傍に被掛合部が設けられ、被掛合部に掛合する掛合部を設けると共に第一嵌合部を設けた取付ナットと、取付ナットを配置すると共に第二嵌合部を設けた負荷座と、負荷座と一端を固定した固定端と他端を自由に設けた自由端とからなるバイメタルと、バイメタルに押圧される掛合片と、掛合片とバイメタルとの間の距離を調整するための調整部材とからなる。【選択図】図２
2010003609.tif 000002
【特許請求の範囲】
【請求項１】
回路遮断器のケース内部に設けられる過電流引外し調整機構であって、該過電流引外し調整機構は前記ケースに設けられる電線挿入孔の近傍に被掛合部が設けられ、該被掛合部に掛合する掛合部を設けると共に第一嵌合部を設けた取付ナットと、該取付ナットを配置すると共に第二嵌合部を設けた負荷座と、該負荷座と一端を固定した固定端と他端を自由に設けた自由端とからなるバイメタルと、該バイメタルに押圧される掛合片と、該掛合片と前記バイメタルとの間の距離を調整するための調整部材とからなることを特徴とする過電流引外し調整機構。
【発明の詳細な説明】
【技術分野】
【０００１】
本発明は、回路遮断器における過電流引外し調整機構に関するものである。
【背景技術】
【０００２】
従来、回路遮断器に設けられる過電流引外し調整機構には特許文献１に記載されているような、ケース３１内部に設けられる主回路に過電流、短絡、漏電等の異常が発生した場合はバイメタル３９と掛合片８０とからなる引き外し機構が駆動して開閉機構部による可動接触子への押圧を解除し、バネにより固定接触子から可動接触子を開離させて主回路を遮断し、又、バイメタル３９と掛合片８０との相対位置を取付ナット３５に貫通して螺合される調整部材８１によって調整可能な回路遮断器があった。
【特許文献１】特開２００４−５５１７３
【発明の開示】
【発明が解決しようとする課題】
【０００３】
しかしながら、特許文献１に記載の発明では、バイメタルと一体に設けられた負荷座を調整部材の締め付けによって進退させることで電路を遮断するまでの時間を調整しているが、調整部材を締め付けた際に負荷座との当接位置にずれが生じる恐れがあるという欠点がある。又、回路遮断器への配線後に引締めねじを締めることによって負荷座が動き、負荷座と一体に設けられているバイメタルも動くため掛合片とバイメタルとの当接位置がずれる可能性があるいという欠点がある。これらにより、負荷座に対して調整部材が垂直に当接しないために調整部材によって押し込まれる距離に差が生じ、電路を遮断するまでの時間にばらつきが発生するという欠点がある。
【０００４】
このため、本発明によって解決しようとする課題は、調整部材の進退によって電路が遮断されるまでの時間を調整する際に、調整によって調整部材の負荷座との当接位置がずれてしまうことを防ぐと共に、負荷座の締付けねじを締め付けた際に負荷座と一端を一体に設けられるバイメタルが動き、バイメタルと掛合片との当接位置がずれてしまうことを防ぎ、電路が遮断されるまでの所要時間を一定に得られる過電流引外し調整機構を少ない部品数で提供することにある。
【課題を解決するための手段】
【０００５】
上記した課題を解決するためになされた本発明の過電流引外し機構は、回路遮断器のケース内部に設けられる過電流引外し調整機構であって、この過電流引外し調整機構はケースに設けられる電線挿入孔の近傍に被掛合部が設けられ、被掛合部に掛合する掛合部を設けると共に第一嵌合部を設けた取付ナットと、取付ナットを配置すると共に第二嵌合部を設けた負荷座と、負荷座と一端を固定した固定端と他端を自由に設けた自由端とからなるバイメタルと、バイメタルに押圧される掛合片と、掛合片とバイメタルとの間の距離を調整するための調整部材とからなる。
【発明の効果】
【０００６】
本発明の過電流引外し機構によれば、負荷座に設けた第二嵌合部と、負荷座に配置した取付ナットに設けた第一嵌合部とによって、調整部材の締め付けによって掛合片とバイメタルとの間の距離を調整する際に調整部材が負荷座に当接する位置にずれが生じることを防ぐことが可能である。これにより、負荷座に対して調整部材が垂直に当接しないために調整部材によって押し込まれるバイメタルの距離に差が生じることを防ぐことが可能となり、電路が遮断されるまでの時間にばらつきが生じる恐れを少なくすることが可能である。
【０００７】
又、取付ナットによって負荷座と調整部材とを共に固定することが可能である。又、取付ナットには掛合部が設けられており、締付けネジを締め付けた際に負荷座が動くことを防ぐことが可能である。これにより、負荷座と一端を一体に設けられたバイメタルの掛合片との当接位置にずれが生じることを防ぐことが可能となり、電路が遮断されるまでの時間にばらつきが生じる恐れを少なくすることが可能である。
【発明を実施するための最良の形態】
【０００８】
本発明では、調整部材の当接位置がずれることを防ぐことが可能であると共にバイメタルの掛合片との当接位置がずれることを防ぐことが可能な構造を少ない部品数で可能にした。
【実施例１】
【０００９】
以下、本発明の実施の形態を説明する。
回路遮断器のケース１、１１内部に設けられる過電流引外し機構であって、この過電流引外し機構はケース１、１１に設けられる電線挿入孔の近傍に被掛合部１２が設けられ、被掛合部１２に掛合する掛合部３、１３、２３を設けると共に第一嵌合部２４を設けた取付ナット５、１５、２５と、取付ナット５、１５、２５を配置すると共に板金を略Ｕ字状に形成してなる負荷座７、１７、２７と、負荷座７、１７、２７の一方の板状部８、１８、２８には第二嵌合部２６を設け、他方の板状部８、１８、２８には一端を固定した固定端と他端を自由に設けた自由端とからなるバイメタル９、１９、２９と、バイメタル９、１９、２９に押圧される掛合片と、掛合片とバイメタル９、１９、２９との間の距離を調整するための調整部材５１、６１、７１とからなり、調整部材５１、６１、７１が第二嵌合部２６と第一嵌合部２４を共に貫通して配置される。左右に略立方体の掛合部３、１３、２３を設けた取付ナット５、１５、２５は、負荷座７、１７、２７に形成される板状部８、１８、２８と板状部８、１８、２８との間に配置される。負荷座に設けた第二嵌合部と、負荷座に配置した取付ナットに設けた第一嵌合部とによって、調整部材の締め付けによって掛合片とバイメタルとの間の距離を調整する際に調整部材が負荷座に当接する位置にずれが生じることを防ぐことが可能である。これにより、負荷座に対して調整部材が垂直に当接しないために調整部材によって押し込まれるバイメタルの距離に差が生じることを防ぐことが可能となり、電路が遮断されるまでの時間にばらつきが生じる恐れを少なくすることが可能である。又、取付ナットによって負荷座と調整部材とを共に固定することが可能であり、取付ナットに設けた掛合部によって締付けネジを締め付けた際に負荷座が動くことを防ぐことが可能であるため、負荷座と一端を一体に設けられたバイメタルの掛合片との当接位置にずれが生じることを防ぐことが可能となり、電路が遮断されるまでの時間にばらつきが生じる恐れを少なくすることが可能である。
【００１０】
以上のように、本発明の過電流引外し調整機構は、調整部材によって調整を行う際に負荷座と調整部材との当接位置にずれが生じることを防ぎ、締付けネジを締め付けた際に負荷座が動いてしまうことを防ぐことのできる過電流引外し調整機構を少ない部品数で可能にした。
【図面の簡単な説明】
【００１１】
【図１】本発明の実施例１における、過電流引外し調整機構の断面斜視図である。
【図２】本発明の実施例１における、過電流引外し調整機構の要部の上面図である。
【図３】本発明の実施例１における、過電流引外し調整機構の要部の斜視図である。
【図４】従来技術における、特許文献１に記載の過電流引外し調整機構の断面図である。
【符号の説明】
【００１２】
１、１１、３１    ケース
１２    被掛合部
３、１３、２３    掛合部
２４    第一嵌合部
５、１５、２５、３５    取付ナット
２６    第二嵌合部
７、１７、２７    負荷座
８、１８、２８    板状部
９、１９、２９、３９    バイメタル
５０、８０    掛合片
５１、６１、７１、８１    調整部材
【図１】
2010003609.tif 000003
【図２】
2010003609.tif 000004
【図３】
2010003609.tif 000005
【図４】
2010003609.tif 000006